(57)【要約】【課題】機器の大型化や耐久性の問題をできるだけ回避しつつ、被写体を高精度に撮影することのできる機能を備えた携帯通信機器を提供する。【解決手段】中心領域に対してその周辺領域が大きな歪曲収差を有する光学系７１を携帯通信機器１に搭載した。これにより、スナップ撮影や風景撮影等の通常撮影を行う機能を有しつつ、中心領域により例えば生体情報を捉えることで、該生体情報を高精度に撮影することができ、携帯通信機器１に、スナップ撮影や風景撮影等の通常の撮影機能と、当該携帯通信機器１の使用者がその所有者であるか否かを照合して、所有者である場合にのみ該携帯通信機器１の使用を許可する個人認証機能とを搭載することができた。また、通常の光学系で上記中心領域と同等のズーム倍率を得ようとする場合に必要なズーム機構等が不要となり、通常の光学系を使用する場合に比して、耐久性やサイズの点で有利となる。【選択図】      図５
2004297140.tif 000002
【特許請求の範囲】
【請求項１】
信号を送受信する送受信手段を備えた携帯通信機器であって、
中心領域に対してその周辺領域が大きな歪曲収差を有する光学系と、
前記光学系により結像された被写体の光像を光電変換する撮像部と
を備えた携帯通信機器。
【請求項２】
前記撮像部の出力信号に係る画像から、前記中心領域により前記撮像部に投影されてなる画像を抽出する抽出部と、
前記抽出画像を所定の倍率で拡大する拡大部と、
前記拡大画像を記憶する記憶部と、
前記拡大画像を前記記憶部に記憶する第１のモードと、前記抽出画像から得られる照合対象の固有情報と所定の通信機器に予め格納されている固有情報とを照合すべく、前記送受信手段に前記抽出画像を前記所定の通信機器に送信させる第２のモードとの間でモードを切り替えるモード切替制御部と
を備えたことを特徴とする請求項１に記載の携帯通信機器。
【請求項３】
前記撮像部の出力信号に係る画像から、前記中心領域により前記撮像部に投影されてなる画像を抽出する抽出部と、
前記抽出画像を所定の倍率で拡大する拡大部と、
前記拡大画像を記憶する第１の記憶部と、
取得した固有情報を予め記憶する第２の記憶部と、
前記抽出画像から得られる照合対象の固有情報と前記第２の記憶部に予め記憶された固有情報との照合を行う照合部と、
前記拡大部により前記抽出画像を所定の倍率で拡大し、この拡大画像を前記第１の記憶部に記憶する第１のモードと、前記抽出画像から得られる照合対象の固有情報と前記第２の記憶部に予め記憶された固有情報との照合を行う第２のモードとの間でモードを切り替えるモード切替制御部と
を備えたことを特徴とする請求項１に記載の携帯通信機器。
【請求項４】
前記光学系は、前記撮像部の撮像面に被写体の光像を結像する単焦点レンズと、中心領域に対してその周辺領域が大きな歪曲収差を有し、前記単焦点レンズとで被写体の光像を結像する第１の位置と、前記単焦点レンズのみで被写体の光像を結像すべく、第１の位置から退避した第２の位置との間で相対移動可能に構成された中心窩レンズとを備えることを特徴とする請求項１ないし３のいずれかに記載の携帯通信機器。
【発明の詳細な説明】
【０００１】
【発明の属する技術分野】
本発明は、信号を送受信する通信機能を備えた携帯可能な通信機器に関し、特に、撮影機能を備えた携帯通信機器に関する。
【０００２】
【従来の技術】
従来、単焦点レンズを備え、この単焦点レンズを用いて被写体の撮影を行う機能を備えた携帯電話が広く知られている。また、例えば下記特許文献には、凹面を有するコールドミラーを備え、このコールドミラーを用いて被写体の撮影を行う機能を備えた携帯電話が開示されている。
【０００３】
一方、近年の携帯電話においては、単なる通話機能だけでなく、個人情報を格納したり、電子決済を行ったりすることのできる機能を搭載したものが商品化されている。
【０００４】
この種の携帯電話は、個人情報の漏洩や不当な電子決済など、該携帯電話の所有者でない者により、該携帯電話が悪意で使用される虞があるため、この悪意の使用を防止すべく、該携帯電話の使用者がその所有者であるか否かを照合し、所有者である場合にのみ、携帯電話の使用を許可する個人認証機能を搭載させることが求められる。
【０００５】
【特許文献】
特表２００２−５３０９７６公報
【０００６】
【発明が解決しようとする課題】
この要求に対し、上記のような単焦点レンズやコールドミラーを備えてなる撮影機能を利用して、例えば携帯電話の使用者の生体情報を撮影し、この撮影画像と予め登録された登録画像とを照合して、これらの画像が一致したときにのみ携帯電話の使用を許可することで、個人認証機能の搭載を実現しようとした場合、次のような問題が生じる。
【０００７】
すなわち、生体情報等の照合を行うには、該生体情報を比較的高精度で（拡大して）撮影する必要があるため、この照合用の撮影を行うに際しては、スナップ撮影や風景撮影等の通常の撮影の場合に対して、携帯電話に搭載する光学系の焦点位置を異ならせる必要がある。
【０００８】
そこで、携帯電話に、例えば光軸方向にズームレンズを駆動する光学ズーム機構を備えることで、光学系の焦点距離を変更可能に構成することが考えられるが、この場合、光学ズーム機構の配設場所やズームレンズの移動スペース等を設ける必要があることから、携帯電話のサイズが必然的に大きくなったり、駆動部の耐久性の問題が生じたりする。
【０００９】
本発明は、上記事情に鑑みてなされたものであり、機器の大型化や耐久性の問題をできるだけ回避しつつ、被写体を高精度に撮影することのできる機能を備えた携帯通信機器を提供することを目的とする。
【００１０】
【課題を解決するための手段】
請求項１に記載の発明は、信号を送受信する送受信手段を備えた携帯通信機器であって、中心領域に対してその周辺領域が大きな歪曲収差を有する光学系と、前記光学系により結像された被写体の光像を光電変換する撮像部とを備えた携帯通信機器である。
【００１１】
この発明によれば、光学系は、中心領域に対してその周辺領域が大きな歪曲収差を有するため、この光学系により結像された光像は、中心領域により投影された被写体の光像が、周辺領域により投影された被写体の光像に比して拡大されたものとなり、撮像部の出力信号に係る画像は、周辺側に位置する被写体に比して中心側に位置する被写体が大きく写った画像となる。
【００１２】
したがって、光学系の中心領域及び周辺領域により、スナップ撮影や風景撮影等の通常撮影を行う機能を有するとともに、中心領域により例えば生体情報を捉えることで、該生体情報を高精度に撮影することができる。
【００１３】
これにより、この撮影画像を用いて生体情報等の照合を行う場合には、その照合を高精度に行うことができる。
【００１４】
また、通常の光学系（結像される光像の高さＹ、焦点距離ｆ、画角θの関係が、Ｙ＝ｆ・ｔａｎθで表されるレンズ）で、上記中心領域と同等のズーム倍率を得ようとする場合にはズーム機構等が必要となるが、本発明では、上記のような光学系を用いたことにより、ズーム機構等が不要となり、通常の光学系を使用する場合に比して、耐久性やサイズの点で有利となる。
【００１５】
請求項２に記載の発明は、請求項１に記載の携帯通信機器において、前記撮像部の出力信号に係る画像から、前記中心領域により前記撮像部に投影されてなる画像を抽出する抽出部と、前記抽出画像を所定の倍率で拡大する拡大部と、前記拡大画像を記憶する記憶部と、前記拡大画像を前記記憶部に記憶する第１のモードと、前記抽出画像から得られる照合対象の固有情報と所定の通信機器に予め格納されている固有情報とを照合すべく、前記送受信手段に前記抽出画像を前記所定の通信機器に送信させる第２のモードとの間でモードを切り替えるモード切替制御部とを備えたことを特徴とするものである。
【００１６】
この発明によれば、撮像部により被写体の光像が光電変換されると、抽出部により、この撮像部の出力信号に係る画像から、前記中心領域により前記撮像部に投影されてなる画像が抽出される。
【００１７】
一方、携帯通信機器は、拡大部により前記抽出画像が所定の倍率で拡大し、記憶部によりその拡大画像を記憶する第１のモードと、前記抽出画像から得られる照合対象の固有情報と所定の通信機器に予め格納されている固有情報とを照合すべく、送受信手段に前記抽出画像を前記所定の通信機器に送信させる第２のモードとを有し、モード切替制御部により第１のモードと第２のモードとの間でモードの切り替えが行われる。
【００１８】
これにより、携帯通信機器に、スナップ撮影や風景撮影等の通常の撮影機能と、当該携帯通信機器の使用者がその所有者であるか否かを照合して、所有者である場合にのみ該携帯通信機器の使用を許可する個人認証機能とを搭載することができる。
【００１９】
また、前記抽出画像から得られる照合対象の固有情報と照合される固有情報を予め記憶する構成や、抽出画像から得られる照合対象の固有情報と予め所定の通信機器に格納されている固有情報との照合を行う構成を、所定の通信機器に備えたので、固有情報を予め記憶する記憶部を携帯通信機器に備える場合に比して、その記憶部を当該機器に備えることが不要となることにより、機器の小型化やコストの低減を実現できるとともに、固有情報の偽造が困難となり、携帯通信機器の不正使用を防止または抑制することができる。
【００２０】
請求項３に記載の発明は、請求項１に記載の携帯通信機器において、前記撮像部の出力信号に係る画像から、前記中心領域により前記撮像部に投影されてなる画像を抽出する抽出部と、前記抽出画像を所定の倍率で拡大する拡大部と、前記拡大画像を記憶する第１の記憶部と、取得した固有情報を予め記憶する第２の記憶部と、前記抽出画像から得られる照合対象の固有情報と前記第２の記憶部に予め記憶された固有情報との照合を行う照合部と、前記拡大部により前記抽出画像を所定の倍率で拡大し、この拡大画像を前記第１の記憶部に記憶する第１のモードと、前記抽出画像から得られる照合対象の固有情報と前記第２の記憶部に予め記憶された固有情報との照合を行う第２のモードとの間でモードを切り替えるモード切替制御部とを備えたことを特徴とする。
【００２１】
この発明によれば、撮像部により被写体の光像が光電変換されると、抽出部により、この撮像部の出力信号に係る画像から、前記中心領域により前記撮像部に投影されてなる画像が抽出される。
【００２２】
一方、携帯通信機器は、拡大部により前記抽出画像が所定の倍率で拡大し、第１の記憶部によりその拡大画像を記憶する第１のモードと、前記抽出画像から得られる照合対象の固有情報と前記第２の記憶部に予め記憶された固有情報との照合を行う第２のモードとを有し、モード切替制御部により第１のモードと第２のモードとの間でモードの切り替えが行われる。
【００２３】
これにより、携帯通信機器に、スナップ撮影や風景撮影等の通常の撮影機能と、当該携帯通信機器の使用者がその所有者であるか否かを照合して、所有者である場合にのみ該携帯通信機器の使用を許可する個人認証機能とを搭載することができる。
【００２４】
また、前記抽出画像から得られる照合対象の固有情報と照合される固有情報を予め記憶する構成や、抽出画像から得られる照合対象の固有情報と予め所定の通信機器に格納されている固有情報との照合を行う構成を、携帯通信機器に備えたので、上記のような照合を行うための構成が簡素化される。
【００２５】
請求項４に記載の発明は、請求項１ないし３のいずれかに記載の携帯通信機器において、前記光学系は、前記撮像部の撮像面に被写体の光像を結像する単焦点レンズと、中心領域に対してその周辺領域が大きな歪曲収差を有し、前記単焦点レンズとで被写体の光像を結像する第１の位置と、前記単焦点レンズのみで被写体の光像を結像すべく、第１の位置から退避した第２の位置との間で相対移動可能に構成された中心窩レンズとを備えることを特徴とするものである。
【００２６】
この発明によれば、中心窩レンズを、第１の位置に位置させたときには、光学系全体が、中心領域に対してその周辺領域が大きな歪曲収差を有することとなり、中心領域により投影された被写体の光像が、周辺領域により投影された被写体の光像に比して拡大される。したがって、撮像部の出力信号に係る画像は、周辺側に位置する被写体に比して中心側に位置する被写体が大きく写った画像となる。
【００２７】
また、中心窩レンズを、第２の位置に位置させたときには、光学系全体が、単焦点レンズの特性を有することとなり、結像される光像の高さＹ、焦点距離ｆ、画角θの関係が、Ｙ＝ｆ・ｔａｎθで表される光像に対応する画像を得ることができる。
【００２８】
【発明の実施の形態】
本発明の実施形態について説明する。
【００２９】
図１は、本発明に係る携帯通信機器の一実施形態の概略構成を示す図である。
【００３０】
図１に示すように、携帯通信機器１は、操作部２、音声入力部３、音声出力部４、表示部５、アンテナ６及び撮像部７を有する携帯電話である。
【００３１】
操作部２は、数字や機能等が割り当てられた複数のプッシュボタンを有してなり、電話番号や各種のコマンド等を入力するためのものである。
【００３２】
音声入力部３は、当該携帯通信機器１の使用者の音声を入力するためのものであり、例えば音声を電気信号に変換するマイクロホン等で構成される。
【００３３】
音声出力部４は、他の通信機器から送出された音声等を外部に出力するものであり、例えば電気信号を音に変換するスピーカ等で構成される。
【００３４】
表示部５は、プッシュボタンにより入力された電話番号や、当該携帯通信機器１の動作を設定するための各種の設定画面、あるいは撮像部７で撮影された画像を表示するものである。
【００３５】
アンテナ６は、他の通信機器との間で通信を行うべく電波の送受を行うためのものである。
【００３６】
撮像部７は、後述する光学系７１及び撮像素子７２（図５参照）を備えてなり、光学系７１の視野内にある被写体の光像を撮像するものである。
【００３７】
以上の構成を備える携帯通信機器１は、通話や撮像部７により撮像された画像の送受など、他人が所有する図略の携帯通信機器を介してその所有者とコミュニケーションを行うことができる。
【００３８】
また、この機能に加えて、本実施形態の携帯通信機器１は、図１に示すように、コンピュータ１００との間で通信ネットワークを介して通信可能に構成されてなる個人認証システムを構築し、この個人認証システムにより、セキュリティ機能を搭載するものである。
【００３９】
セキュリティ機能は、該携帯通信機器１の使用者の生体情報（本実施形態では、目の虹彩情報）を取得するとともに、この生体情報を用いて、その使用者がこの携帯通信機器１の所有者であるか否かを照合し、該携帯通信機器１の所有者であると判断した場合に、当該携帯通信機器１の使用を許可することで、該携帯通信機器１の所有者でない者による悪意の使用を防止する機能である。
【００４０】
生体情報は、経時的変化のない個々の人間に特有の肉体的な情報であって、個々の人間を識別可能な情報である。
【００４１】
なお、後述するように、携帯通信機器１の使用者が該機器の所有者であるか否かの照合は、コンピュータ１００が、携帯通信機器１から通信ネットワークを介して受信した生体情報の撮影画像と、該コンピュータ１００のデータベースに登録されている、当該携帯通信機器１の所有者に係る個人情報の撮影画像とを照合することで行う。
【００４２】
本実施形態の携帯通信機器１は、通常の撮影を行う通常撮影モードと、上記の照合を行う照合撮影モードとを備え、後述するように、各モードで生成される画像について、各画像を生成するまでの処理が異なる。これらの撮影モード間の切り替えは、所定のプッシュボタンを操作することで行うことができる。
【００４３】
携帯通信機器１には、被写体の光像を撮像するための光学系として、以下に説明する特性を備えた光学系７１（図５参照）が採用されている。
【００４４】
図２（ａ）は、光学系７１の歪曲収差・画角特性を示すグラフであり、横軸は百分率で示す歪曲収差Ｘであり、縦軸は度（°）単位で示す画角θである。図２（ｂ）は、画角・像高特性を示すグラフであり、横軸は画角θであり、縦軸は像高Ｙである。
【００４５】
図２（ａ）に示すように、光学系７１は、画角θが小さい領域（図２では約５度までの領域）では、歪曲収差Ｘが所定値Ｘｉであり、画角θがその領域を超えると急激に大きくなるという特性を有する。
【００４６】
ここで、歪曲収差Ｘにおける所定値Ｘｉは、光学系７１の中心領域を透過した被写体の光像による画像を人間が見た場合において相似形の歪みのない自然な画像に見える値であり、例えば３％である。勿論、所定値Ｘｉを３％以下の値、例えば約２％や約１％に設定したとしても、人間の見た目では相似形の歪みのない自然な画像に見える。
【００４７】
なお、図２（ａ）は、約５０度の半画角で約−７０％の歪曲収差を有する光学系７１の特性を示している。
【００４８】
この特性により、図２（ｂ）に示すように、光学系７１に結像される光像の高さ（以下、像高という）Ｙは、画角θが小さい領域（図２（ｂ）に示す点線より左側の領域）では、画角θに対して像高Ｙは、略線形であって、画角θの単位変化に対する変化量は大きい。
【００４９】
一方、画角θが大きい領域（図２（ｂ）に示す点線より右側の領域）では、画角θに対して像高Ｙは、非線形であって、画角θの単位変化に対する変化量は、画角θの増大に伴って徐々に小さくなり、像高Ｙは、略一定値となる。
【００５０】
換言すれば、画角θが小さい領域では解像度が高く、画角θが大きい領域では解像度が低くなる。
【００５１】
そして、光学系７１の曲率半径等を適切に設定することで、光学系７１は、大きな像高Ｙが得られる光学系７１の中心領域（「画角θが小さい領域」に相当）と同等のズーム倍率を、この光学系７１の代わりに通常のレンズを用いて得る場合に比して、広い視野を有するとともに、この広い視野を有する光学系７１の周辺領域（「画角θが大きい領域」に相当）と同等の視野を、この光学系７１の代わりに通常のレンズを用いて得る場合に比して、光学系７１の中心領域で被写体の光像を大きく投影する。
【００５２】
この意味で、以下の説明においては、光学系７１の中心領域を望遠領域、周辺領域を広角領域というものとする。
【００５３】
中心窩レンズは、視野における中心領域（望遠領域に相当）で画像を拡大し、その周辺領域（広角領域に相当）で画像を圧縮する機能を有するレンズであり、広い視野、望遠領域での高解像度及び望遠領域でひずみの目立たない自然な画像が得られる等の特徴を有する。
【００５４】
なお、上記にいう通常のレンズとは、像高Ｙ、焦点距離ｆ、画角θの関係が、Ｙ＝ｆ・ｔａｎθで表されるレンズのことをいう。
【００５５】
以上のような特性を有する光学系７１を用いて撮影を行うことにより、撮像部７により出力される画像は、例えば図３に示すように、光学系７１の広角領域に対応する部分（以下、この部分を広角エリアという）が、広い領域の被写体が圧縮されたものとなる一方、光学系７１の望遠領域に対応する部分（以下、この部分を高精細エリアという）が、中心部分に位置する被写体がその周辺部分に位置する被写体に比して拡大されたものとなる。
【００５６】
したがって、撮像部７は、撮影領域のうち中心部分を高い解像度で撮影しつつ、広い視野で撮影することができる。
【００５７】
本実施形態における携帯通信機器１は、この光学系７１の特性を利用した以下の機能を備えている。
【００５８】
すなわち、上述したように、光学系７１の望遠領域においては、被写体の光像が大きく投影され、解像度の高い画像が得られることから、図４に示すように、該携帯通信機器１の使用者の虹彩を光学系７１の望遠領域で捉えることで、この虹彩を高い解像度で撮影することができる。これにより、この撮影画像と後述する登録画像との照合を高精度に行うことができる。なお、図４に示す高精彩エリアは、光学系７１の望遠領域で捉えられた領域を示す。
【００５９】
また、光学系７１は、通常の撮影においても、被写体を光学系７１の望遠領域で捉えることで、この被写体を高い解像度で撮影することができる。なお、後述するように、本実施形態においては、光学系７１の望遠領域で捉えた、高い解像度を有する部分の画像を抽出して表示部５に表示するので、抽出した画像を高い解像度で表示部５に表示することができる。
【００６０】
図５は、携帯通信機器１の構成を示すブロック図である。
【００６１】
図５に示すように、携帯通信機器１は、光学系７１、撮像素子７２、信号処理部８、Ａ／Ｄ変換部９、画像処理部１０、画像メモリ１１及び制御部１２を備えて構成されている。
【００６２】
光学系７１は、上述した光学系に相当するものである。
【００６３】
撮像素子７２は、例えばフォトダイオード等の複数の光電変換素子がマトリックス状に２次元配列され、各光電変換素子の受光面に、それぞれＲ（赤），Ｇ（緑），Ｂ（青）の色フィルタが１：２：１の比率で配設されてなるＣＣＤカラーエリアセンサである。
【００６４】
撮像素子７２は、光学系７１により結像された被写体の光像を、例えば１／３０（秒）毎にＲ（赤），Ｇ（緑），Ｂ（青）の色成分の電気信号（画像信号）に変換し、Ｒ，Ｇ，Ｂ各色の画像信号として出力する。なお、撮像素子７２は、モノクロの撮像素子でもよい。
【００６５】
撮像素子７２は、図略のタイミングジェネレータ等により、撮像素子７２の露出動作の開始及び終了や、撮像素子７２における各画素の出力信号の読出し（水平同期、垂直同期、転送）等の撮像動作が制御される。
【００６６】
信号処理部８は、撮像素子７２から出力されるアナログの画像信号に所定のアナログ信号処理を施すものである。信号処理部８は、ＣＤＳ（相関二重サンプリング）回路とＡＧＣ（オートゲインコントロール）回路とを有し、ＣＤＳ回路により画像信号のノイズの低減を行い、ＡＧＣ回路により画像信号のレベル調整を行う。
【００６７】
Ａ／Ｄ変換部９は、信号処理部８により出力されたアナログのＲ，Ｇ，Ｂの画像信号を、複数のビットからなるデジタルの画像信号（以下、デジタル信号という）にそれぞれ変換するものである。
【００６８】
画像処理部１０は、Ａ／Ｄ変換部９によりＡ／Ｄ変換されたＲ，Ｇ，Ｂの各デジタル信号に、黒レベルを基準の黒レベルに補正する黒レベル補正、光源に応じた白の基準に基づいて、Ｒ（赤）、Ｇ（緑）、Ｂ（青）の各色成分のデジタル信号のレベル変換を行うホワイトバランス、Ｒ（赤），Ｇ（緑），Ｂ（青）のデジタル信号のγ特性を補正するγ補正を行うものである。
【００６９】
画像メモリ１１は、画像処理部１０から出力される画像を一時的に記憶するとともに、この画像データに対し制御部１２により後述の処理を行うための作業領域として用いられるメモリである。
【００７０】
操作部２は、図１に示す操作部２に対応するものであり、例えば図３の点線Ａ，Ｂに示すように、表示部５に表示する画像の領域（ズーム倍率）を設定するためのズーム倍率設定操作部を含む。
【００７１】
制御部１２は、例えば制御プログラムを記憶するＲＯＭや一時的にデータを記憶するＲＡＭからなる記憶部（後述する記憶部１２６）が内蔵されたマイクロコンピュータからなり、上述した携帯通信機器１及び携帯通信機器１本体内の各部材の駆動を有機的に制御して、携帯通信機器１の撮影動作を統括的に制御するものである。
【００７２】
制御部１２は、機能的に、モード切替制御部１２１、パラメータ設定部１２２、抽出部１２３、拡大部１２４、画像再配置処理部１２５及び記憶部１２６を備える。
【００７３】
モード切替制御部１２１は、当該携帯通信機器１の電源がオンされると、照合撮影モードに設定し、照合撮影モードにおいて生体情報の照合が行われ、その生体情報の撮影画像が登録画像と一致する（使用者が所有者であると判別される）と、通常撮影モードに切り替えるものである。
【００７４】
ここで、照合撮影モードと通常撮影モードにおける画像の生成処理について説明する。
【００７５】
携帯通信機器１は、照合撮影モードにおいては、画像メモリ１１に一時的に記憶された画像に対し、予め設定された領域の画像を抽出し、この抽出画像を、通信ネットワークを介してコンピュータ１００に送信する。
【００７６】
通常撮影モードにおいては、画像メモリ１１に一時的に記憶された画像に対し、操作部２を介して指示されたズーム倍率に対応する領域の画像を抽出し、この抽出画像にデジタルズームを施した後、表示部５の表示サイズに拡大する。そして、この拡大した画像を表示部５に表示し、画像の送信指示がある場合には他の通信機器に送信する。
【００７７】
図５に戻り、パラメータ設定部１２２は、後述する抽出部１２３により抽出される画像の領域及び拡大部１２４の拡大率に対応するパラメータを設定するものである。パラメータ設定部１２２は、照合撮影モードにおいては、予め決められたズーム倍率に対応するパラメータを設定し、通常撮影モードにおいては、操作部２により設定されたズーム倍率に応じてパラメータを設定する。
【００７８】
例えば、パラメータ設定部１２２は、照合撮影モードにおいて、図４に示すように、矢印Ｃに示す領域を抽出するためのパラメータα１を設定し、通常撮影モードにおいて、図３に示すように、操作部２によりあるズーム倍率に設定する操作が行われると、矢印Ａや矢印Ｂに示す領域を抽出するためのパラメータα２やα３を設定する。
【００７９】
抽出部１２３は、画像メモリ１１に記憶された画像のうち、パラメータ設定部１２２により設定されたパラメータに応じて、望遠領域によって大きく拡大された部分の画像（以下、高精細画像という）を抽出するものである。
【００８０】
拡大部１２４は、通常撮影モードにおいて、抽出部１２３により抽出された画像を、パラメータ設定部１２２により設定されたパラメータに応じて、表示部５の表示サイズに拡大するものである。
【００８１】
画像再配置処理部１２５は、パラメータ設定部１２２において設定されたパラメータの大きさ、延いては操作部２により入力されたズーム倍率の大きさに応じて、拡大部１２４により拡大された画像に対して歪み補正を行うものである。
【００８２】
すなわち、ズーム倍率が所定の閾値より小さく設定されたことにより、抽出部１２３により抽出される画像が広角エリアの画像を含む場合、広角エリアと高精細エリアとの間で画像に歪みが生じている。
【００８３】
画像再配置処理部１２５は、この歪みを解消すべく、画像メモリ１１に一時的に記憶された画像から一部の画素を抽出し、この抽出した画素で１の画像（再配置画像）を生成すべく、抽出した画素の画素データをどのように配置するかを予め定めた所定の変換テーブルに基づいてその抽出画素を配置することにより、歪みのない、もしくは歪みの少ない再配置画像を生成する。
【００８４】
なお、再配置画像は、歪みが補正されたものであるから、表示部５での画像の視認性は良好となるが、再配置処理を行うようにすると、その分時間を要するため、表示部５への撮影画像の表示が遅延する。その結果、シャッターチャンスを逃すなど、携帯通信機器１による撮影を行う上での操作性が低下することとなる。
【００８５】
したがって、本実施形態では、再配置処理を行わないで、歪みのある画像を表示部５に表示するか、再配置処理を行って歪みの少ない画像を表示部５に表示するかを、図略のスイッチにより切替可能に構成して、使用者がいずれかを選択できるようにしている。
【００８６】
画像メモリ１４は、拡大部１２４において拡大された画像データを一時的に記憶する画像メモリである。
【００８７】
表示部５は、図１における表示部５に対応するものであり、画像メモリ１５に一時記憶された画像データを画像として表示するものである。
【００８８】
画像メモリ１４は、抽出部１２３により抽出された画像の画像データを一時的に記憶するものである。
【００８９】
送受信部１５は、図６に示す構成を有するもので、他の携帯通信機器やコンピュータ１００との間で、音声データや画像メモリ１１に一時的に格納された画像データ等の各種データの通信を行うものである。
【００９０】
図６は、送受信部１５の構成を示すブロック図である。
【００９１】
図６に示すように、送受信部１５は、音声入力部３、音声出力部４、アンテナ６、デュープレクサ１５−１、ＬＮＡ（Ｌｏｗ  Ｎｏｉｓｅ  Ａｍｐｌｉｆｉｅｒ）１５−２、ＳＡＷ（Ｓｕｒｆａｃｅ  Ａｃｏｕｓｔｉｃ  Ｗａｖｅ）フィルタ１５−３、ＰＬＬ（Ｐｈａｓｅ  Ｌｏｃｋｅｄ  Ｌｏｏｐ〉周波数シンセサイザ１５−４、ＭＩＸ１５−５、変復調器１５−６、音声符復号器１５−７、ＭＩＸ１５−８、ＰＡ１５−９及びＩ／Ｆ部１５−１０を備える。
【００９２】
音声入力部３、音声出力部４及びアンテナ６は、図１に示す音声入力部３、音声出力部４及びアンテナ６に対応するものである。
【００９３】
デュープレクサ１５−１は、送信周波数を通過帯域にもつバンドパスフィルタと、受信周波数を通過帯域にもつバンドパスフィルタとを備えてなり、送信信号と受信信号とを分離するものである。
【００９４】
ＬＮＡ１５−２は、アンテナ６で受信された信号のうちデュープレクサ１５−１により分離された受信信号を増幅する低雑音アンプである。
【００９５】
ＳＡＷフィルタ１５−３は、上記受信信号に含まれる多種の信号の中から当該携帯通信機器１宛の信号のみを取り出すものである。
【００９６】
ＰＬＬ周波数シンセサイザ１５−４は、詳細に図示しないが、位相検出器、低域通過フィルタや電圧制御発振器等からなり、これらにより生成した局部発振信号をＭＩＸ１５−５に出力するものである。
【００９７】
ＭＩＸ１５−５は、ＰＬＬ周波数シンセサイザ１５−４からの局部発振信号とＳＡＷフィルタ１５−３の出力信号とを混合するものである。
【００９８】
変復調器１５−６は、音声符復号器の出力信号（送信データ）に対し、狭帯域化等を行う変調（一次変調）と、所定の符号による変調（二次変調）とを含む拡散変調を行ったり、ＭＩＸ１５−５の出力信号（受信データ）に対し逆拡散復調を行ったりするものである。
【００９９】
音声符復号器１５−７は、音声入力部３により入力された音声信号の符号化処理を行って変復調器１５−６に出力したり、変復調器１５−６の出力信号の復号化処理を行って音声出力部４に出力したりするものである。
【０１００】
ＭＩＸ１５−８は、変復調器１５−６の出力信号とＰＬＬ周波数シンセサイザ１５−４からの局部発振信号とを混合するものである。
【０１０１】
ＰＡ（Ｐｏｗｅｒ  Ａｍｐｌｉｆｉｅｒ）１５−９は、ＭＩＸ１５−８からの出力信号を増幅してデュープレクサ１５−１に出力するものである。
【０１０２】
インターフェース（Ｉ／Ｆ）部１５−１０は、操作部２により入力されたコマンド情報を変復調器１５−６に送出したり、変復調器１５−６からの画像信号を表示部５に送出したりするものである。
【０１０３】
以上の構成を備える送受信部１５においては、例えば他の携帯通信機器から受信信号（音声信号）が送信され、デュープレクサ１５−１により音声信号が分離されると、ＬＮＡ１５−２によりその分離された音声信号が増幅された後、ＳＡＷフィルタ１５−３により当該携帯通信機器１宛の音声信号が取り出される。
【０１０４】
この取り出された音声信号は、ＭＩＸ１５−５によりＰＬＬ周波数シンセサイザ１５−４からの局部発振信号と混合され、変復調器１５−６により逆拡散復調が行われた後、音声符復号器１５−７により復号化処理が施されて音声出力部４に出力される。これにより、音声出力部４から音声が出力される。
【０１０５】
また、他の携帯通信機器から送出された画像信号は、デュープレクサ１５−１、ＬＮＡ１５−２、ＳＡＷフィルタ１５−３、ＭＩＸ１５−５及び変復調器１５−６において、他の携帯通信機器から送信された音声信号と同様の処理が施された後、この画像信号がＩ／Ｆ部１５−１２を介して表示部５に出力される。これにより、表示部５に画像が表示される。
【０１０６】
一方、送受信部１５において、当該携帯通信機器１の音声入力部３に音声が入力されると、音声符復号器１５−７によりその音声信号に符号化処理が施され、該音声信号に対して、変復調器１５−６により上記拡散変調が行われる。
【０１０７】
拡散変調が行われた音声信号は、ＭＩＸ１５−８によりこの音声信号がＰＬＬ周波数シンセサイザ１５−４からの局部発振信号と混合され、この混合された信号がＰＡ１５−９により増幅される。
【０１０８】
そして、デュープレクサ１５−１により送信すべき音声信号が分離され、この音声信号がアンテナ６から他の携帯通信機器に送出される。
【０１０９】
また、当該携帯通信機器１において撮影された画像の画像信号は、Ｉ／Ｆ部１５−１０を介して変復調器１５−６に出力された後、変復調器１５−６、ＭＩＸ１５−８、ＰＡ１５−９及びデュープレクサ１５−１において、当該携帯通信機器１の音声入力部３に入力された音声信号と同様の処理が施され、この音声信号がアンテナ６から他の携帯通信機器に送出される。
【０１１０】
記憶部１６は、撮像された画像を記憶部する画像記憶部や、操作部２により入力されるコマンドとパラメータとがテーブル形式で記憶するテーブル記憶部を含むものである。
【０１１１】
コンピュータ１００は、図７に示すように、制御部１０１、送受信部１０２、及び記憶部１０３を備える。
【０１１２】
制御部１０１は、例えば制御プログラムを記憶するＲＯＭや一時的にデータを記憶するＲＡＭが内蔵されたマイクロコンピュータからなり、コンピュータの動作を統括制御するとともに、携帯通信機器１から送信された生体情報の照合を行う照合部１０１１を備える。
【０１１３】
照合部１０１１は、記憶部１０３に予め記憶されている携帯通信機器１の所有者の虹彩の画像（以下、登録画像という）を読み出し、この登録画像と携帯通信機器１から送信された撮影画像とが一致するか否かを照合するものである。照合部１０１１は、その照合が終了すると、その結果を示す情報（以下、照合結果情報という）を生成する。
【０１１４】
送受信部１０２は、通信ネットワークを介して携帯通信機器１との間で、照合結果情報や撮影画像等の通信を行うものである。
【０１１５】
記憶部１０３は、携帯通信機器１の所有者の虹彩に係る画像を予め記憶するものである。
【０１１６】
次に、本実施形態に係る携帯通信機器１の一連の撮像処理について説明する。
【０１１７】
図８は、携帯通信機器１の一連の撮像処理を示すフローチャートである。
【０１１８】
図８に示すように、操作部２により通常撮影モードが選択される（ステップ♯１でＹＥＳ）と、操作部２によりズーム倍率が設定されたか否かが判定される（ステップ♯２）。
【０１１９】
そして、ズーム倍率が設定される（ステップ♯２でＹＥＳ）と、パラメータ設定部１２２により、パラメータがα３に設定され（ステップ♯３）、ズーム倍率が設定されない場合（ステップ♯２でＮＯ）には、パラメータ設定部１２２により、パラメータがα２に設定される（ステップ♯４）。
【０１２０】
そして、操作部２により撮影指示が行われる（ステップ♯５でＹＥＳ）と、撮像素子７２により撮像が行われ（ステップ♯６）、抽出部１２３及び拡大部１２４により、画像メモリ１１に一時的に記憶されている画像から、ステップ♯３又は♯４で設定されたパラメータα２又はα３に応じた領域の画像が抽出された後、表示部５の表示サイズに拡大される（ステップ♯７）。
【０１２１】
その後、拡大画像は、表示部５に表示されるとともに、記憶部１６に記憶され（ステップ♯８）、また、その画像の送信指示があった場合（ステップ♯９でＹＥＳ）には、送受信部１５により上記画像が他の通信機器に送信される（ステップ♯１０）。
【０１２２】
ステップ♯１０における画像の送信後、あるいはステップ♯９において画像の送信指示がないまま、携帯通信機器１の電源がＯＦＦにされる（ステップ♯１１でＹＥＳ）と、所定の電源切断処理が行われて（ステップ♯１２）、終了する。
【０１２３】
一方、ステップ♯１において、操作部２により照合撮影モードが選択される（ステップ♯１でＮＯ）と、パラメータ設定部１２２により、パラメータがα１に設定される（ステップ♯１３）。
【０１２４】
そして、操作部２により撮影指示が行われる（ステップ♯１４でＹＥＳ）と、撮像素子７２により撮像が行われ（ステップ♯１５）、抽出部１２３により、画像メモリ１１に一時的に記憶されている画像から、ステップ♯４又は♯１３で設定されたパラメータα１に応じた領域の画像が抽出される（ステップ♯１６）。
【０１２５】
その後、送受信部１５によりその抽出画像がコンピュータ１００に送信され（ステップ♯１７）、送受信部１５により、コンピュータ１００から撮影画像と登録画像とが一致した旨の信号が受信される（ステップ♯１８）と、当該携帯通信機器１の使用が許可され（ステップ♯１９）、ステップ♯２の処理に戻る。
【０１２６】
一方、送受信部１５により、コンピュータ１００から撮影画像と登録画像とが一致しない旨の信号が受信される（ステップ♯１８でＮＯ）と、当該携帯通信機器１の使用が禁止された（ステップ♯２０）後、終了する。
【０１２７】
このように、上記のような特性を有する光学系７１を搭載したので、スナップ撮影や風景撮影等の通常撮影を行う機能を有しつつ、中心領域により例えば生体情報を捉えることで、該生体情報を高精度に撮影することができる。
【０１２８】
その結果、携帯通信機器１に、スナップ撮影や風景撮影等の通常の撮影機能と、当該携帯通信機器１の使用者がその所有者であるか否かを照合して、所有者である場合にのみ該携帯通信機器１の使用を許可する個人認証機能とを搭載することができる。
【０１２９】
また、固有情報を予め記憶する構成や固有情報の照合を行う構成をコンピュータ１００に搭載したので、これらの構成を携帯通信機器に備える場合に比して、固有情報を予め記憶するための記憶部が不要となることにより、機器の小型化やコストの低減を実現できるとともに、コンピュータ１００に搭載される記憶部は、携帯通信機器に搭載される記憶部に比して、記憶容量が格段に大きいため、１台の携帯通信機器に対し複数人の固有情報を記憶して照合を行う構成を容易に構築することができる。さらに、固有情報の偽造が困難となり、携帯通信機器の不正使用を防止または抑制することができる。
【０１３０】
また、上記のような光学系７１を搭載したので、通常の光学系で上記中心領域と同等のズーム倍率を得ようとする場合に必要なズーム機構等が不要となり、通常の光学系を使用する場合に比して、耐久性やサイズの点で有利となる。
【０１３１】
本発明は、上記実施形態に限らず、次の実施形態（１）〜（１０）が採用可能である。
【０１３２】
（１）上記実施形態では、照合の対象を、人間の目の虹彩としたが、これに限らず、例えば図９に示すように、指紋や網膜などの他の生体情報でもよいし、この生体情報に限らず、筆跡や、すでに所有している例えば運転免許証やクレジットカード等でもよく、要は、固有の情報を有するものであれば照合の対象とすることができる。
【０１３３】
（２）上記実施形態では、撮影画像と照合する対象の登録画像を、携帯通信機器１と通信ネットワークを介して接続されたコンピュータ１００のデータベースに記憶するようにしたが、これに限らず、携帯通信機器１に備えられた記憶部１６に記憶するようにしてもよい。
【０１３４】
（３）照合撮影モードにおいて、広角エリアの一部の画像も表示部５に表示すると、高精彩エリアに対する目の位置決めが容易となる。
【０１３５】
（４）図１０に示すように、高精細エリアにおいて顔全体もしくは目や唇など顔の一部が表示部５に比較的大きく表示されるようにすると、該携帯通信機器１を手鏡として機能させることができる。なお、広角エリアの存在により、顔の所望の箇所を高精細エリアに位置決めし易くなる。
【０１３６】
（５）図１１に示すように、携帯通信機器１本体と撮像部７との連結部分において、携帯通信機器本体１ａに、撮像部７側に突出する円柱状の嵌合部５１と、この嵌合部５１の軸方向適所において外径方向に延設された円盤部５２とを備える。一方、撮像部７には、軸側に延設された、円形の孔７３を有する延設部７４，７５を形成する。
【０１３７】
そして、撮像部７の延設部７４，７５に形成された孔７３に、携帯通信機器本体１ａに形成された嵌合部５１を嵌合させ、且つ円盤部５２を延設部７４，７５間に嵌め込み、撮像素子７２の基板７６と、携帯通信機器本体１ａ内の図略の基板とを接続する配線Ｐを嵌合部５１内に挿通させる。これにより、撮像部７を携帯通信機器本体１ａに対し回転可能に構成する。
【０１３８】
これにより、図１２に示すように、撮像部７を表示部５の表示画面と反対側の面まで軸中心に回転し、光学系７１を、例えば文書の所定位置に向けると、光学系７１の光軸と文書との交点を中心とする所定の範囲の文字等が液晶表示部５に比較的大きく表示されるので、この場合、該携帯通信機器１を虫眼鏡として機能させることができる。
【０１３９】
（６）また、図１３に示すように、撮像部７の光学系７１を、当該携帯通信機器１から比較的遠方の標識等に向けると、光学系７１の光軸とその標識との交点を中心とした所定の範囲の文字等が表示部５に比較的大きく表示されるので、この場合、該携帯通信機器１を望遠鏡として機能させることができる。
【０１４０】
（７）（６）で説明した望遠機能を用いて、携帯通信機器１の使用者の居場所を特定する現在位置特定システムを構築することが可能となる。
【０１４１】
図１４に示すように、現在位置特定システムは、携帯通信機器１と、ＧＰＳ（ｇｌｏｂａｌ  ｐｏｓｉｔｉｏｎｉｎｇ  ｓｙｓｔｅｍ）２００と、コンピュータ１００とを備えてなる。
【０１４２】
携帯通信機器１は、ＧＰＳ２００に電波を出力し、ＧＰＳ２００は、この電波を受信して、携帯通信機器１の使用者の凡その現在位置を特定し、この凡その現在位置情報を携帯通信機器１に送信する。
【０１４３】
携帯通信機器１は、この現在位置情報をＧＰＳ２００から受信するとともに、現在位置の周辺に存在するマーカ、例えばビルに表示されている企業のロゴ等を撮像部７により撮影し、その画像データと上記現在位置情報とを、コンピュータ１００に送信する。
【０１４４】
コンピュータ１００は、地図情報を格納する地図データベースを有しており、携帯通信機器１から送信された画像データと上記現在位置情報に基づいて現在位置を特定し、この特定された現在位置と周辺の地図情報とを携帯通信機器１に送信する。
【０１４５】
この一連の処理により、携帯通信機器１の使用者の現在位置を詳細に特定することが可能となる。なお、マーカは、交差点の信号機に設置されている交差点名を表記した標識、あるいは表札などでもよい。
【０１４６】
（８）通常撮影を行う場合に、抽出処理や拡大処理、あるいは画像の歪み補正などの画像処理を低減するため、撮像部７を次のように構成してもよい。
【０１４７】
図１５に示すように、撮像部７の一側面において、スライド板７７上に中心窩レンズ７１ａとガラス７８とが所定の間隔を介して並設されているとともに、スライド板７７がスライドレール７９上を、中心窩レンズ７１ａとガラス７８の並設方向にスライドするスライド構造を構成する。
【０１４８】
そして、スライド板７７をスライドさせることで、撮像に使用する光学系を中心窩レンズ７１ａとガラス７８との間で切り替える。すなわち、スライド板７７と撮像素子７２（図１５では図示されていない）との間に配設された図略の単焦点レンズと光軸を一致させる光学系を、中心窩レンズ７１ａとガラス７８との間で切り替える。
【０１４９】
これにより、単焦点レンズと中心窩レンズ７１ａの光軸を一致させた場合には、光学系７１全体として、中心窩レンズ７１ａの特性を備えることとなり、その結果、上記実施形態のように、高精細な画像を得ることができる。
【０１５０】
一方、単焦点レンズとガラス７８の光軸を一致させた場合には、光学系７１全体として、単焦点レンズの特性を備えることとなり、その結果、抽出処理や拡大処理、あるいは画像の歪み補正などの画像処理を低減しつつ、像高が一定の画像を得ることができる。
【０１５１】
なお、中心窩レンズ７１ａと並設するものとして、ガラス７８の代わりに丸穴（空洞）としてもよい。
【０１５２】
（９）携帯通信機器１の使用者の照合を行うものに限らず、例えば商品のタグの照合を、該携帯通信機器１を利用して行うようにしてもよい。
【０１５３】
すなわち、商品の仕分けや、倉庫内の商品のピッキング時などに、該商品に付せられているタグを携帯通信機器１で撮影し、そのタグ情報を所定のコンピュータに送信するとともに、該コンピュータにおいてタグの照合を行うようにしてもよい。
（１０）本発明は、上記のような携帯電話に限らず、例えばＰＤＡ（ｐｅｒｓｏｎａｌ  ｄｉｇｉｔａｌ  ａｓｓｉｓｔａｎｔｓ）やデジタルスチルカメラ、あるいはカメラ一体型ビデオレコーダ等であって、通信機能及び撮影機能を備えたものにも採用可能である。
【０１５４】
【発明の効果】
請求項１に記載の発明によれば、光学系は、中心領域に対してその周辺領域が大きな歪曲収差を有する光学系を搭載したので、光学系の中心領域及び周辺領域により、スナップ撮影や風景撮影等の通常撮影を行う機能を有するとともに、中心領域により例えば生体情報を捉えることで、該生体情報を高精度に撮影することができ、この撮影画像を用いて生体情報等の照合を行う場合には、その照合を高精度に行うことができる。
【０１５５】
また、通常の光学系で、上記中心領域と同等のズーム倍率を得ようとする場合にはズーム機構等が必要となるが、本発明では、上記のような光学系を用いたことにより、ズーム機構等が不要となり、通常の光学系を使用する場合に比して、耐久性やサイズの点で有利となる。
【０１５６】
請求項２に記載の発明によれば、拡大部により前記抽出画像が所定の倍率で拡大し、記憶部によりその拡大画像を記憶する第１のモードと、前記抽出画像から得られる照合対象の固有情報と所定の通信機器に予め格納されている固有情報とを照合すべく、送受信手段に前記抽出画像を前記所定の通信機器に送信させる第２のモードとを有し、モード切替制御部により第１のモードと第２のモードとの間でモードの切り替えが行われるようにしたので、携帯通信機器に、スナップ撮影や風景撮影等の通常の撮影機能と、当該携帯通信機器の使用者がその所有者であるか否かを照合して、所有者である場合にのみ該携帯通信機器の使用を許可する個人認証機能とを搭載することができる。
【０１５７】
また、前記抽出画像から得られる照合対象の固有情報と照合される固有情報を予め記憶する構成や、抽出画像から得られる照合対象の固有情報と予め所定の通信機器に格納されている固有情報との照合を行う構成を、所定の通信機器に備えたので、固有情報を予め記憶する記憶部を携帯通信機器に備える場合に比して、その記憶部が不要となるとともに、固有情報の偽造が困難となり、携帯通信機器の不正使用を防止または抑制することができる。
【０１５８】
請求項３に記載の発明によれば、拡大部により前記抽出画像が所定の倍率で拡大し、第１の記憶部によりその拡大画像を記憶する第１のモードと、前記抽出画像から得られる照合対象の固有情報と前記第２の記憶部に予め記憶された固有情報との照合を行う第２のモードとを有し、モード切替制御部により第１のモードと第２のモードとの間でモードの切り替えが行われるようにしたので、携帯通信機器に、スナップ撮影や風景撮影等の通常の撮影機能と、当該携帯通信機器の使用者がその所有者であるか否かを照合して、所有者である場合にのみ該携帯通信機器の使用を許可する個人認証機能とを搭載することができる。
【０１５９】
また、前記抽出画像から得られる照合対象の固有情報と照合される固有情報を予め記憶する構成や、抽出画像から得られる照合対象の固有情報と予め所定の通信機器に格納されている固有情報との照合を行う構成を、携帯通信機器に備えたので、上記のような照合を行うための構成を簡素化することができる。
【０１６０】
請求項４に記載の発明によれば、中心窩レンズを、第１の位置に位置させたときには、光学系全体が、中心領域に対してその周辺領域が大きな歪曲収差を有することとなり、中心領域により投影された被写体の光像が、周辺領域により投影された被写体の光像に比して拡大され、その結果、周辺側に位置する被写体に比して中心側に位置する被写体が大きく写った画像を得ることができる。
【０１６１】
また、中心窩レンズを、第２の位置に位置させたときには、光学系全体が、単焦点レンズの特性を有することとなり、結像される光像の高さＹ、焦点距離ｆ、画角θの関係が、Ｙ＝ｆ・ｔａｎθで表される光像に対応する画像を得ることができる。
【図面の簡単な説明】
【図１】本発明に係る携帯通信機器の一実施形態の概略構成を示す図である。
【図２】（ａ）は、光学系７１の歪曲収差・画角特性を示すグラフ、（ｂ）は、画角・像高特性を示すグラフである。
【図３】撮像部により出力される画像の一例を示す図である。
【図４】撮像部により出力される画像の一例を示す図である。
【図５】携帯通信機器の構成を示すブロック図である。
【図６】送受信部の構成を示すブロック図である。
【図７】コンピュータの構成を示すブロック図である。
【図８】携帯通信機器の一連の撮像処理を示すフローチャートである。
【図９】撮像部により出力される画像の一例を示す図である。
【図１０】携帯通信機器に搭載される手鏡機能の説明図である。
【図１１】携帯通信機器本体と撮像部との連結部分の回転構造を示す図である。
【図１２】撮像部が携帯通信機器本体に対して回転可能に構成されたことにより搭載された虫眼鏡機能の説明図である。
【図１３】撮像部が携帯通信機器本体に対して回転可能に構成されたことにより搭載された望遠鏡機能の説明図である。
【図１４】携帯通信機器が望遠機能を搭載することにより構築される現在位置特定システムの説明図である。
【図１５】撮像部の変形形態を示す図である。
【符号の説明】
１    携帯通信機器
２    操作部
５    表示部
７    撮像部
１２  制御部
１２１  モード切替制御部
１２２  パラメータ設定部
１２３  抽出部
１２４  拡大部
１２５  画像再配置処理部
１２６  記憶部
７１    光学系
７２    撮像素子
１００  コンピュータ
１０１  制御部
１０１１  照合部
【図１】
2004297140.tif 000003
【図２】
2004297140.tif 000004
【図３】
2004297140.tif 000005
【図４】
2004297140.tif 000006
【図５】
2004297140.tif 000007
【図６】
2004297140.tif 000008
【図７】
2004297140.tif 000009
【図８】
2004297140.tif 000010
【図９】
2004297140.tif 000011
【図１０】
2004297140.tif 000012
【図１１】
2004297140.tif 000013
【図１２】
2004297140.tif 000014
【図１３】
2004297140.tif 000015
【図１４】
2004297140.tif 000016
【図１５】
2004297140.tif 000017